(57)【要約】      （修正有）【課題】洗濯によって複数回の使用を可能とし、さらに暑さ対策に優れたアイソレーションガウンを提供する。【解決手段】アイソレーションガウン１は、前身頃２、後身頃３、袖４の各部分をそれぞれ縫製してなり、前身頃２、後身頃３、袖４の各部分の素材はナイロンタフタ製の織物生地であり、後身頃３には、部分的にナイロンタフタ製の織物に代えてメッシュ生地７が配置されている。【選択図】図２
0003229138.tif 000002
【実用新案登録請求の範囲】
【請求項１】
ウイルス感染予防に使用されるアイソレーションガウンであって、
前見頃、後見頃、袖の各部分をそれぞれ縫製してなり、
前記前見頃、前記後見頃、前記袖の各部分の素材はナイロンタフタ製の織物生地であり、
前記後見頃には、部分的に前記ナイロンタフタ製の織物に代えてメッシュ生地が配置されている、
ことを特徴とするアイソレーションガウン。
【請求項２】
前記ナイロンタフタ製の織物生地は、表面に撥水加工が、裏面にアクリルコーティング加工が施されている、
ことを特徴とする請求項１に記載のアイソレーションガウン。
【請求項３】
前記前見頃の中央位置に、紐通し部が固定されている、
ことを特徴とする請求項１又は２に記載のアイソレーションガウン。
【請求項４】
前記メッシュ生地は、伸縮性を有する生地である、
ことを特徴とする請求項１ないし３のいずれか１項に記載のアイソレーションガウン。
【請求項５】
前記メッシュ生地の幅は、３〜５ｃｍである、
ことを特徴とする請求項１ないし４のいずれか１項に記載のアイソレーションガウン。
【請求項６】
前記メッシュ生地は、前記後見頃の前記袖との連結部分に配置されている、
ことを特徴とする請求項１ないし５のいずれか１項に記載のアイソレーションガウン。
【請求項７】
前記メッシュ生地は、前記後見頃の肩部における前記前身頃との連結部分に配置されている、
ことを特徴とする請求項１ないし５のいずれか１項に記載のアイソレーションガウン。
【請求項８】
前記メッシュ生地は、ナイロン製又はポリエステル製の生地である、
ことを特徴とする請求項１ないし７のいずれか１項に記載のアイソレーションガウン。
【考案の詳細な説明】
【技術分野】
【０００１】
本考案は、ウイルス等の感染予防・感染防止に使用されるアイソレーションガウンに関する。
【背景技術】
【０００２】
主に医療現場等において使用されるアイソレーションガウンは、ウイルス等の侵入を防止するため撥水性及び撥アルコール性を有する不織布によって構成され、原則として使い捨てで使用されている。
【０００３】
一方、新型コロナウイルス（ＣＯＶＩＤ−１９）の感染拡大により、医療現場における医療物資の多くが不足し、大きな社会問題となった。特に多くの医療機関において不足したアイソレーションガウンは、完璧かつ完全な感染防止機能・性能を有する不織布によって構成された使い捨てタイプであったために、その品不足はより深刻化した。
【０００４】
また、アイソレーションガウンはウイルス等の侵入予防・防止と言う性格上、通気性が悪く、長時間に渡って着用した場合その暑さ対策も考慮しなければならない、と言う問題がある。
【０００５】
更に、今後の新型コロナウイルス（ＣＯＶＩＤ−１９）の感染拡大防止策としてアイソレーションガウンが必要とされる職場は、最前線の医療現場のみならず、銀行窓口業務やスーパー・コンビニのレジ業務などの対面接客に係る業務、更には感染によって重症化しやすい高齢者と濃厚接触する介護福祉業務など、幅広いビジネスシーン・ビジネス現場においても必要とされるようになっている。
【０００６】
上記のとおり従来のアイソレーションガウンは、最前線の医療現場において使用されることを目的に厳格かつ完全なウイルス侵入防止機能・性能が求められていたが、アイソレーションガウンの使用が必要とされる今後のビジネスシーン・ビジネス現場の広がりによって、最前線の医療現場で使用されるレベルよりはやや防御性能は落ちるものの、繰り返し使用でき、かつ長時間の使用にも耐えるものも必要とされている。
【先行技術文献】
【特許文献】
【０００７】
【特許文献１】実用新案登録第３０２０２７２号公報
【特許文献２】特開２０１８−１２８９５号公報
【特許文献３】特開２０１８−１５０６５１号公報
【考案の概要】
【考案が解決しようとする課題】
【０００８】
本考案は、従来の使い捨てで厳格かつ完全なウイルス侵入防止機能・性能を有するアイソレーションガウンに代えて、一定の機能・性能を有しながらも洗濯して何度でも使えるようにするとともに、通気性を良くして着用者による長時間の着用負担を軽減し、医療現場のみならず様々なビジネスシーン・現場で使用可能なアイソレーションガウンを提供することを目的とする。
【課題を解決するための手段】
【０００９】
上記目的を達成するため、本考案はウイルス感染防止に使用されるアイソレーションガウンであって、前見頃、後見頃、袖の各部分をそれぞれ縫製してなり、前記前見頃、前記後見頃、前記袖の各部分の素材はナイロンタフタ製の織物生地であり、前記後見頃には、部分的に前記ナイロンタフタ製の織物に代えてメッシュ生地が配置されている、ことを特徴とする。
【００１０】
さらに、本考案の一実施形態によれば、前記ナイロンタフタ製の織物生地は、表面に撥水加工が、裏面にアクリルコーティング加工が施されている、ことを特徴とする。
【００１１】
さらに、本考案の一実施形態によれば、前記前見頃の中央位置に、紐通し部が固定されている、ことを特徴とする。
【００１２】
さらに、本考案の一実施形態によれば、前記メッシュ生地は、伸縮性を有する生地である、ことを特徴とする。
【００１３】
さらに、本考案の一実施形態によれば、前記メッシュ生地の幅は、３〜５ｃｍである、ことを特徴とする。
【００１４】
さらに、本考案の一実施形態によれば、前記メッシュ生地は、前記後見頃の前記袖との連結部分に配置されている、ことを特徴とする。
【００１５】
さらに、本考案の一実施形態によれば、前記メッシュ生地は、前記後見頃の肩部における前記前身頃との連結部分に配置されている、ことを特徴とする。
【００１６】
さらに、本考案の一実施形態によれば、前記メッシュ生地は、ナイロン製又はポリエステル製の生地である、ことを特徴とする。
【考案の効果】
【００１７】
本考案に係るアイソレーションガウンによれば、一定のウイルス等感染防止機能・性能を有することで、医療機関のバックヤード業務、銀行等の窓口業務、スーパー・コンビニ等のレジ業務、介護福祉業務等の幅広い分野で使用でき、かつ洗濯して何度でも使用できるとともに、更に通気性を良くして着用者による長時間の着用負担を軽減することができる。
【図面の簡単な説明】
【００１８】
【図１】本願考案に係るアイソレーションガウンの正面図
【図２】本願考案に係るアイソレーションガウンの背面図１
【図３】メッシュ生地を配置した部分の拡大図
【図４】本願考案に係るアイソレーションガウンの背面図２
【図５】前身頃の標準寸法図
【図６】後身頃の標準寸法図
【図７】袖の標準寸法図
【考案を実施するための最良の形態】
【００１９】
以下、本願考案の実施形態につき、図面を参照しながら詳細に説明する。
図１は、アイソレーションガウン１を正面から見た図であり、前見頃２、２つの後見頃３、２本の袖４の各構成要素を縫製して構成されている。
【００２０】
各構成要素の素材は、ナイロンタフタ製の織物生地であり、７０デニールのナイロン糸を打ち込み本数２１０本で織った、いわゆる２１０本タフタと呼ばれるナイロン織物を用いている。
【００２１】
前記ナイロンタフタ製の織物生地は、表面に撥水加工が、また裏面にはアクリルコーティング加工が施されていることが望ましい。本考案に係るアイソレーションガウン１は、生地としてナイロンタフタ製（２１０本タフタ）の織物を使用していることで、不織布製のものに比べてウイルス侵入防止機能・性能はやや劣るものの、少なくとも２０回以上の洗濯が可能であり、繰り返しの使用にも耐えることができる。
【００２２】
前見頃２の中央であって使用者が着用した際、ちょうど腹部まわりとなる位置には、２つの紐通し部５が縫い付け固定されている。この紐通し部５に紐６を通し、使用者がアイソレーションガウン１を着用した際、紐６を腹部回りに２周させて締め付けることで、着衣者はアイソレーションガウン１を体にフィットさせることができるようになっている。
【００２３】
従来の一般的なアイソレーションガウンでは、締付用の紐が予めアイソレーションガウンの左右側方位置に縫い付けられていたため、着衣者の体にフットさせ辛いと言う問題があったが、本実施例の紐構成によれば、浴衣や着物の帯と同様に着衣者自身の体形に合わせ胴回り全体を自由に締付調整することができる。
【００２４】
図２は、アイソレーションガウン１を背面から見た図であり、図３はメッシュ生地を配置した部分の拡大図である。本実施例では、後見頃３と袖４との連結境界部分に、メッシュ生地７（メッシュ部）が配置されている。このメッシュ生地７の隙間から、温まった内部の空気が外に逃げるため、長時間の着用によっても暑苦しさを軽減することができる。
【００２５】
メッシュ生地は、前見頃２、後見頃３、袖４の素材と同様に、繰り返しの洗濯に耐えうるよう、ナイロン製或いはアクリル製としている。また肩関節回りに配置されていることから、腕の動作の妨げにならないよう、伸縮性を持たせることが望ましい。
【００２６】
なお、メッシュ生地を配置する目的は、温まった内部の空気を外に逃がすことにあることから、その配置位置は、図４に示すように前身頃２と後見頃３との肩部における連結境界部分であっても良い。メッシュ生地を図２〜４に示す連結境界部分に配置する場合の幅は、３〜５ｃｍ程度であることが望ましい。
【００２７】
またさらにメッシュ生地を配置する位置は、後見頃３と前見頃２及び袖３との連結境界部分ではなく、後見頃３の上方適宜位置を適宜の面積でくり抜き、このくり抜いた空間に配置するようにしても良い（図示せず）。
【００２８】
最前線の医療現場で使用されるアイソレーションガウンは、厳格かつ完全なウイルス侵入防止機能・性能が求められるため、こうしたメッシュ生地の配置は不適であるが、医療機関のバックヤード業務、銀行等の窓口業務、スーパー・コンビニ等のレジ業務、更には介護福祉業務等においては、前身頃だけでも十分なウイルス侵入防止効果を発揮することから、後見頃の一部（例えば袖との連結境界部分）に、メッシュ生地を配置しても大きな問題となることはない。
【００２９】
さらに本実施形態において、メッシュ生地７を伸縮性の生地とすることにより、着衣者の腕や肩の動きを阻害することが無く、極めて動きやすくなる。
【００３０】
図５は前見頃２、図６は後見頃３、図７は袖４の各構成要素の標準寸法（標準型）を示す図である。各図に示す寸法はあくまで標準タイプのものであり、着用者の性別や体型（身長、体重等）に応じて、適宜に変更すれば良い。なお、紐及び袖口は、適宜の材質及び寸法にすればよく、図示を省略する。
【００３１】
以上のとおり本願考案に係るアイソレーションガウンは、医療最前線で求められる厳格かつ完全なウイルス侵入防止機能・性能を有していないものの一定の感染予防効果を有し、かつ洗濯によって複数回の使用を可能とし、さらに暑さ対策に優れたアイソレーションガウンであることから、アイソレーションガウンを必要とする様々なビジネスシーン、現場において広く活用可能である。
【符号の説明】
【００３２】
１  アイソレーションガウン
２  前身頃
３  後見頃
４  袖
５  紐通し部
６  紐
７  メッシュ生地（メッシュ部）
【図１】
0003229138.tif 000003
【図２】
0003229138.tif 000004
【図３】
0003229138.tif 000005
【図４】
0003229138.tif 000006
【図５】
0003229138.tif 000007
【図６】
0003229138.tif 000008
【図７】
0003229138.tif 000009
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
ウイルス感染予防に使用されるアイソレーションガウンであって、
前身頃、後身頃、袖の各部分をそれぞれ縫製してなり、
前記前身頃、前記後身頃、前記袖の各部分の素材はナイロンタフタ製の織物生地であり、
前記後身頃には、部分的に前記ナイロンタフタ製の織物に代えてメッシュ生地が配置されている、
ことを特徴とするアイソレーションガウン。
【請求項２】
前記ナイロンタフタ製の織物生地は、表面に撥水加工が、裏面にアクリルコーティング加工が施されている、
ことを特徴とする請求項１に記載のアイソレーションガウン。
【請求項３】
前記前身頃の中央位置に、紐通し部が固定されている、
ことを特徴とする請求項１又は２に記載のアイソレーションガウン。
【請求項４】
前記メッシュ生地は、伸縮性を有する生地である、
ことを特徴とする請求項１ないし３のいずれか１項に記載のアイソレーションガウン。
【請求項５】
前記メッシュ生地の幅は、３〜５ｃｍである、
ことを特徴とする請求項１ないし４のいずれか１項に記載のアイソレーションガウン。
【請求項６】
前記メッシュ生地は、前記後身頃の前記袖との連結部分に配置されている、
ことを特徴とする請求項１ないし５のいずれか１項に記載のアイソレーションガウン。
【請求項７】
前記メッシュ生地は、前記後身頃の肩部における前記前身頃との連結部分に配置されている、
ことを特徴とする請求項１ないし５のいずれか１項に記載のアイソレーションガウン。
【請求項８】
前記メッシュ生地は、ナイロン製又はポリエステル製の生地である、
ことを特徴とする請求項１ないし７のいずれか１項に記載のアイソレーションガウン。
【手続補正２】
【補正対象書類名】明細書
【補正対象項目名】全文
【補正方法】変更
【補正の内容】
【考案の詳細な説明】
【技術分野】
【０００１】
本考案は、ウイルス等の感染予防・感染防止に使用されるアイソレーションガウンに関する。
【背景技術】
【０００２】
主に医療現場等において使用されるアイソレーションガウンは、ウイルス等の侵入を防止するため撥水性及び撥アルコール性を有する不織布によって構成され、原則として使い捨てで使用されている。
【０００３】
一方、新型コロナウイルス（ＣＯＶＩＤ−１９）の感染拡大により、医療現場における医療物資の多くが不足し、大きな社会問題となった。特に多くの医療機関において不足したアイソレーションガウンは、完璧かつ完全な感染防止機能・性能を有する不織布によって構成された使い捨てタイプであったために、その品不足はより深刻化した。
【０００４】
また、アイソレーションガウンはウイルス等の侵入予防・防止と言う性格上、通気性が悪く、長時間に渡って着用した場合その暑さ対策も考慮しなければならない、と言う問題がある。
【０００５】
更に、今後の新型コロナウイルス（ＣＯＶＩＤ−１９）の感染拡大防止策としてアイソレーションガウンが必要とされる職場は、最前線の医療現場のみならず、銀行窓口業務やスーパー・コンビニのレジ業務などの対面接客に係る業務、更には感染によって重症化しやすい高齢者と濃厚接触する介護福祉業務など、幅広いビジネスシーン・ビジネス現場においても必要とされるようになっている。
【０００６】
上記のとおり従来のアイソレーションガウンは、最前線の医療現場において使用されることを目的に厳格かつ完全なウイルス侵入防止機能・性能が求められていたが、アイソレーションガウンの使用が必要とされる今後のビジネスシーン・ビジネス現場の広がりによって、最前線の医療現場で使用されるレベルよりはやや防御性能は落ちるものの、繰り返し使用でき、かつ長時間の使用にも耐えるものも必要とされている。
【先行技術文献】
【特許文献】
【０００７】
【特許文献１】実用新案登録第３０２０２７２号公報
【特許文献２】特開２０１８−１２８９５号公報
【特許文献３】特開２０１８−１５０６５１号公報
【考案の概要】
【考案が解決しようとする課題】
【０００８】
本考案は、従来の使い捨てで厳格かつ完全なウイルス侵入防止機能・性能を有するアイソレーションガウンに代えて、一定の機能・性能を有しながらも洗濯して何度でも使えるようにするとともに、通気性を良くして着用者による長時間の着用負担を軽減し、医療現場のみならず様々なビジネスシーン・現場で使用可能なアイソレーションガウンを提供することを目的とする。
【課題を解決するための手段】
【０００９】
上記目的を達成するため、本考案はウイルス感染防止に使用されるアイソレーションガウンであって、前身頃、後身頃、袖の各部分をそれぞれ縫製してなり、前記前身頃、前記後身頃、前記袖の各部分の素材はナイロンタフタ製の織物生地であり、前記後身頃には、部分的に前記ナイロンタフタ製の織物に代えてメッシュ生地が配置されている、ことを特徴とする。
【００１０】
さらに、本考案の一実施形態によれば、前記ナイロンタフタ製の織物生地は、表面に撥水加工が、裏面にアクリルコーティング加工が施されている、ことを特徴とする。
【００１１】
さらに、本考案の一実施形態によれば、前記前身頃の中央位置に、紐通し部が固定されている、ことを特徴とする。
【００１２】
さらに、本考案の一実施形態によれば、前記メッシュ生地は、伸縮性を有する生地である、ことを特徴とする。
【００１３】
さらに、本考案の一実施形態によれば、前記メッシュ生地の幅は、３〜５ｃｍである、ことを特徴とする。
【００１４】
さらに、本考案の一実施形態によれば、前記メッシュ生地は、前記後身頃の前記袖との連結部分に配置されている、ことを特徴とする。
【００１５】
さらに、本考案の一実施形態によれば、前記メッシュ生地は、前記後身頃の肩部における前記前身頃との連結部分に配置されている、ことを特徴とする。
【００１６】
さらに、本考案の一実施形態によれば、前記メッシュ生地は、ナイロン製又はポリエステル製の生地である、ことを特徴とする。
【考案の効果】
【００１７】
本考案に係るアイソレーションガウンによれば、一定のウイルス等感染防止機能・性能を有することで、医療機関のバックヤード業務、銀行等の窓口業務、スーパー・コンビニ等のレジ業務、介護福祉業務等の幅広い分野で使用でき、かつ洗濯して何度でも使用できるとともに、更に通気性を良くして着用者による長時間の着用負担を軽減することができる。
【図面の簡単な説明】
【００１８】
【図１】本願考案に係るアイソレーションガウンの正面図
【図２】本願考案に係るアイソレーションガウンの背面図１
【図３】メッシュ生地を配置した部分の拡大図
【図４】本願考案に係るアイソレーションガウンの背面図２
【図５】前身頃の標準寸法図
【図６】後身頃の標準寸法図
【図７】袖の標準寸法図
【考案を実施するための最良の形態】
【００１９】
以下、本願考案の実施形態につき、図面を参照しながら詳細に説明する。
図１は、アイソレーションガウン１を正面から見た図であり、前身頃２、２つの後身頃３、２本の袖４の各構成要素を縫製して構成されている。
【００２０】
各構成要素の素材は、ナイロンタフタ製の織物生地であり、７０デニールのナイロン糸を打ち込み本数２１０本で織った、いわゆる２１０本タフタと呼ばれるナイロン織物を用いている。
【００２１】
前記ナイロンタフタ製の織物生地は、表面に撥水加工が、また裏面にはアクリルコーティング加工が施されていることが望ましい。本考案に係るアイソレーションガウン１は、生地としてナイロンタフタ製（２１０本タフタ）の織物を使用していることで、不織布製のものに比べてウイルス侵入防止機能・性能はやや劣るものの、少なくとも２０回以上の洗濯が可能であり、繰り返しの使用にも耐えることができる。
【００２２】
前身頃２の中央であって使用者が着用した際、ちょうど腹部まわりとなる位置には、２つの紐通し部５が縫い付け固定されている。この紐通し部５に紐６を通し、使用者がアイソレーションガウン１を着用した際、紐６を腹部回りに２周させて締め付けることで、着衣者はアイソレーションガウン１を体にフィットさせることができるようになっている。
【００２３】
従来の一般的なアイソレーションガウンでは、締付用の紐が予めアイソレーションガウンの左右側方位置に縫い付けられていたため、着衣者の体にフットさせ辛いと言う問題があったが、本実施例の紐構成によれば、浴衣や着物の帯と同様に着衣者自身の体形に合わせ胴回り全体を自由に締付調整することができる。
【００２４】
図２は、アイソレーションガウン１を背面から見た図であり、図３はメッシュ生地を配置した部分の拡大図である。本実施例では、後身頃３と袖４との連結境界部分に、メッシュ生地７（メッシュ部）が配置されている。このメッシュ生地７の隙間から、温まった内部の空気が外に逃げるため、長時間の着用によっても暑苦しさを軽減することができる。
【００２５】
メッシュ生地は、前身頃２、後身頃３、袖４の素材と同様に、繰り返しの洗濯に耐えうるよう、ナイロン製或いはアクリル製としている。また肩関節回りに配置されていることから、腕の動作の妨げにならないよう、伸縮性を持たせることが望ましい。
【００２６】
なお、メッシュ生地を配置する目的は、温まった内部の空気を外に逃がすことにあることから、その配置位置は、図４に示すように前身頃２と後身頃３との肩部における連結境界部分であっても良い。メッシュ生地を図２〜４に示す連結境界部分に配置する場合の幅は、３〜５ｃｍ程度であることが望ましい。
【００２７】
またさらにメッシュ生地を配置する位置は、後身頃３と前身頃２及び袖３との連結境界部分ではなく、後身頃３の上方適宜位置を適宜の面積でくり抜き、このくり抜いた空間に配置するようにしても良い（図示せず）。
【００２８】
最前線の医療現場で使用されるアイソレーションガウンは、厳格かつ完全なウイルス侵入防止機能・性能が求められるため、こうしたメッシュ生地の配置は不適であるが、医療機関のバックヤード業務、銀行等の窓口業務、スーパー・コンビニ等のレジ業務、更には介護福祉業務等においては、前身頃だけでも十分なウイルス侵入防止効果を発揮することから、後身頃の一部（例えば袖との連結境界部分）に、メッシュ生地を配置しても大きな問題となることはない。
【００２９】
さらに本実施形態において、メッシュ生地７を伸縮性の生地とすることにより、着衣者の腕や肩の動きを阻害することが無く、極めて動きやすくなる。
【００３０】
図５は前身頃２、図６は後身頃３、図７は袖４の各構成要素の標準寸法（標準型）を示す図である。各図に示す寸法はあくまで標準タイプのものであり、着用者の性別や体型（身長、体重等）に応じて、適宜に変更すれば良い。なお、紐及び袖口は、適宜の材質及び寸法にすればよく、図示を省略する。
【００３１】
以上のとおり本願考案に係るアイソレーションガウンは、医療最前線で求められる厳格かつ完全なウイルス侵入防止機能・性能を有していないものの一定の感染予防効果を有し、かつ洗濯によって複数回の使用を可能とし、さらに暑さ対策に優れたアイソレーションガウンであることから、アイソレーションガウンを必要とする様々なビジネスシーン、現場において広く活用可能である。
【符号の説明】
【００３２】
１  アイソレーションガウン
２  前身頃
３  後身頃
４  袖
５  紐通し部
６  紐
７  メッシュ生地（メッシュ部）